(57)【要約】【課題】シスターンタンクへの水を補給したりドレンを浴室に排出したりするための機構が簡素化された風呂給湯器を提供する。【解決手段】第１切替弁８０を第１第２連通状態、第２切替弁５３を全閉状態にして注湯電磁弁５７を開くと注湯連結管５５〜第１切替弁８０の第４接続口〜第１切替弁８０の第２接続口〜逆止弁６９で止められたドレン排水管６８〜補給路５８を通じてシスターンタンク３１に給水が補給される。その後、第２切替弁５３を第１第３連通状態にしてふろ循環ポンプ４９を作動させると、補給路５８の水がドレン排水管６８〜第１切替弁８０の第２接続口〜ふろ循環ポンプ４９〜ふろ熱交換器４６〜ふろ往き管５２〜第２切替弁５３の第１接続口〜第３接続口〜排水管５４を経て排出される。その後、第１切替弁８０を全閉状態にして注湯電磁弁５７を開くと排出時に使用した配管を洗浄することができる。【選択図】図１
2019060575.tif 000002
【特許請求の範囲】
【請求項１】
バーナで加熱された熱交換器で給水を昇温して出湯する給湯機能、
バーナで加熱される熱交換器と、循環水を蓄える大気開放のシスターンタンクと、循環ポンプと、放熱器とを経由する循環回路に前記熱交換器で昇温した循環水を前記循環ポンプで循環させる放熱機能、
浴槽の浴槽水取込口からふろ戻り管、ふろポンプ、ふろ熱交換器、ふろ往き管を経由して浴槽の浴槽水吐出口に戻る追い焚き回路に浴槽内の浴槽水を前記ふろポンプで循環させながら前記ふろ熱交換器で昇温する追い焚き機能、
前記給湯機能で作った湯を、注湯管から前記追い焚き回路を経由して前記浴槽に注ぐ注湯機能、
を備えた風呂給湯器において、
前記ふろ戻り管の途中に介挿された第１切替弁と、
前記ふろ往き管の途中に介挿された第２切替弁と、
熱交換器で生じた凝縮水を中和器で中和した後のドレンを溜めるドレンタンクと、
前記ドレンタンクの排出口に接続されたドレン排出管と、
前記ドレン排出管の途中に介挿された逆止弁と、
前記シスターンタンクに補給する水の流路となる補給管と、
を備え、
前記第１切替弁は、第１接続口と第４接続口が常に連通し、かつ第１接続口と第２接続口が連通し第３接続口が閉鎖されたた第１第２連通状態と、第１接続口と第３接続口が連通し第２接続口が閉鎖された第１第３連通状態と、前記第２接続口と第３接続口がいずれも閉鎖された全閉状態とに切替可能であって、前記第１接続口には前記ふろポンプの吸い込み口に至る側の前記ふろ戻り管が接続され、前記第２接続口には前記ドレン排出管の他端が接続され、前記第３接続口には浴槽に設けられた浴槽水取込口に至る側の前記ふろ戻り管が接続され、前記第４接続口には前記注湯管が接続されており、
前記第２切替弁は、第１接続口と第２接続口が連通し第３接続口が閉鎖されたた第１第２連通状態と、第１接続口と第３接続口が連通し第２接続口が閉鎖された第１第３連通状態と、前記第２接続口と第３接続口がいずれも閉鎖された全閉状態とに切替可能であって、前記第１接続口にはふろ熱交換器の出側に通じる管路が接続され、前記第２接続口は浴槽に設けられた浴槽水吐出口に繋げられ、前記第３接続口は所定の排水先に通じており、
前記補給管は、前記逆止弁より前記第１切替弁の前記第２接続口側の前記ドレン排出管から分岐して前記シスターンタンクに繋げられており、
前記シスターンタンクに水を補給するときは、前記第１切替弁を第１第２連通状態にし、かつ前記第２切替弁を全閉状態にして前記注湯管から前記第４接続口に向けて水を流す
ことを特徴とする風呂給湯器。
【請求項２】
前記シスターンタンクに水を補給した後、前記注湯管を閉鎖し、前記第１切替弁を第１第２連通状態、前記第２切替弁を第１第３連通状態にして前記ふろポンプを作動させることで、前記補給管の中の水を前記排水先に排水する
ことを特徴とする請求項１に記載の風呂給湯器。
【請求項３】
前記排水する際に、前記ドレンタンクの水位に応じて、前記ふろポンプを前記逆止弁が開かない速度で作動させるか前記逆止弁が開く速度で作動させるかを切り替える
ことを特徴とする請求項２に記載の風呂給湯器。
【請求項４】
前記逆止弁が開かない速度で前記ふろポンプを作動させる場合は、前記排水の完了を、排水開始からの時間を基準に、もしくは、ふろポンプの消費電力の変化に基づいて、判断する
ことを特徴とする請求項３に記載の風呂給湯器。
【請求項５】
前記排水が完了した後、前記第１切替弁を全閉状態、前記第２切替弁を第１第３連通状態にして前記注湯管から前記第４接続口に向けて水を流すことで前記追い焚き回路を洗浄する
ことを特徴とする請求項２乃至４のいずれか１つに記載の風呂給湯器。
【請求項６】
前記第１切替弁および前記第２切替弁は、
基端側がモータに接続されて回動可能な軸と、
前記軸の先端部に設けられた第１ストッパと、
前記第１ストッパから前記基端側へ所定距離を開けて前記軸に設けられた第２ストッパと、
前記第１ストッパと第２ストッパとの間の前記軸に挿通された第１弁体と、
前記第１弁体と前記第２ストッパの間の前記軸に挿通された第２弁体と、
前記第１弁体と第２弁体の間に設けられて前記第１弁体が前記第１ストッパに当接し前記第２弁体が前記第２ストッパに当接するように前記第１弁体と前記第２弁体を互いが離れるように付勢するバネと、
前記第２ストッパより前記基端側で前記軸を回動方向に応じて軸方向に進退するように保持する軸支部と、
前記第１弁体と前記第２弁体を内側に収納し、前記先端部側へ進出する第１弁体によって内側から閉鎖される第１開口と前記基端側へ後退する前記第２弁体によって内側から閉鎖される第２開口を、前記第１ストッパと前記第２ストッパとの間隔より狭い間隔で対向させて備える弁室と、
前記弁室に設けられた第３開口と、
前記第１開口から前記弁室の外側へ延設されて前記第１開口から進出する前記軸および前記第１ストッパを内包すると共に前記第３接続口に至る第３管路と、
前記第２開口から前記弁室の外側へ前記軸に沿って延設された管路であって前記軸支部を内側に保持し、前記軸支部より前記基端側へ延びる前記軸を貫通させて端部が封止され、側面に開設された開口が前記第２接続口に通じた本体管と、
前記第３開口から前記弁室の外側へ延設されて前記第１接続口に至る第１管路と、
を有し、
前記軸が所定の中間位置にあるとき前記第１弁体が前記第１開口を閉鎖しかつ前記第２弁体が前記第２開口を閉鎖して前記全閉状態となり、
前記軸が前記中間位置より前記先端部側へ進出したとき前記第２ストッパに押された前記第２弁体が前記第２開口から離れかつ前記第１弁体が前記第１開口を閉鎖して前記第１第２連通状態となり、
前記軸が前記中間位置より前記基端側へ後退したとき前記第１ストッパに押された前記第１弁体が前記第１開口から離れかつ前記第２弁体が前記第２開口を閉鎖して前記第１第３連通状態となる
ことを特徴とする請求項１乃至５のいずれか１つに記載の風呂給湯器。
【発明の詳細な説明】
【技術分野】
【０００１】
本発明は、シスターンタンクを備えた風呂給湯器に関する。
【背景技術】
【０００２】
図４に示すように、通常、熱交換器１０１で昇温された循環水を床暖房用の温水マット１０２や浴室乾燥用の放熱器１０３などに循環させて暖房等を行う場合、循環回路の中に循環水を蓄える大気開放のシスターンタンク１０４が設けられる。シスターンタンク１０４は大気開放であるが故に、循環水が蒸発して減少する。そこで、シスターンタンク１０４内に電極を設けてシスターンタンク１０４内の水位を検出し、その水位が一定以上低下した場合に水を補給することが行われる。
【０００３】
たとえば、シスターンタンク１０４への水の補給は、注湯連結管１０５の途中から分岐させた補給管１０６を通じて行われる。補給管１０６のうちシスターンタンク１０４の直ぐ近くには、該補給管１０６の開通・閉鎖を切り替える補給水電磁弁１０７が設けてあり、該補給水電磁弁１０７を開いて水をシスターンタンク１０４に補給していた。
【０００４】
また、冬季に補給水電磁弁１０７を開けた場合にも確実に水を補給できるように、補給水電磁弁１０７の近傍の配管には凍結防止用のヒータが設けられていた。さらに、このヒータの熱で樹脂製のシスターンタンク１０４が溶けないように、凍結防止用のヒータとシスターンタンク１０４との間に断熱材が設けられていた。
【０００５】
ところで、潜熱を回収する熱交換器で生じたドレンは中和器で中和してドレンタンク１１０に溜められる。ドレンタンク１１０の水位が一定以上高くなった場合は、ドレンをふろの追い焚き回路を通じて浴室の排水口に排出するといったことが行われる（特許文献１参照）。たとえば、図４では、第１切替弁１１１、第２切替弁１１２を切り替えてドレン排出管１１３が追い焚き回路のふろ戻り管１１４の風呂ポンプ１１７側に接続されるようにし、かつ、ふろ往き管１１５の終端が浴室の排水口側に繋がるように第３切替弁１１６を切り替えた後、ふろポンプ１１７を作動させることで、ドレンタンク１１０からドレンをふろポンプ１１７で吸い出し、追い焚き管路を通じて浴室に排出する。
【先行技術文献】
【特許文献】
【０００６】
【特許文献１】特開２００９−２７０７９８号公報
【発明の概要】
【発明が解決しようとする課題】
【０００７】
前述のように、従来はシスターンタンクに水を補給するためには補給水電磁弁１０７、凍結防止用のヒータ、断熱材などを設ける必要があり、構成が複雑になっていた。また、ドレンタンクからドレンを浴室に排水するために多くの切替弁を設ける必要があった。
【０００８】
本発明は、上記のような問題点を解決するためになされたものであり、シスターンタンクへの水を補給したりドレンを浴室の排水口に排出したりするための機構を簡素化することのできる風呂給湯器を提供することを目的としている。
【課題を解決するための手段】
【０００９】
かかる目的を達成するための本発明の要旨とするところは、次の各項の発明に存する。
【００１０】
［１］バーナで加熱された熱交換器で給水を昇温して出湯する給湯機能、
バーナで加熱される熱交換器と、循環水を蓄える大気開放のシスターンタンクと、循環ポンプと、放熱器とを経由する循環回路に前記熱交換器で昇温した循環水を前記循環ポンプで循環させる放熱機能、
浴槽の浴槽水取込口からふろ戻り管、ふろポンプ、ふろ熱交換器、ふろ往き管を経由して浴槽の浴槽水吐出口に戻る追い焚き回路に浴槽内の浴槽水を前記ふろポンプで循環させながら前記ふろ熱交換器で昇温する追い焚き機能、
前記給湯機能で作った湯を、注湯管から前記追い焚き回路を経由して前記浴槽に注ぐ注湯機能、
を備えた風呂給湯器において、
前記ふろ戻り管の途中に介挿された第１切替弁と、
前記ふろ往き管の途中に介挿された第２切替弁と、
熱交換器で生じた凝縮水を中和器で中和した後のドレンを溜めるドレンタンクと、
前記ドレンタンクの排出口に接続されたドレン排出管と、
前記ドレン排出管の途中に介挿された逆止弁と、
前記シスターンタンクに補給する水の流路となる補給管と、
を備え、
前記第１切替弁は、第１接続口と第４接続口が常に連通し、かつ第１接続口と第２接続口が連通し第３接続口が閉鎖されたた第１第２連通状態と、第１接続口と第３接続口が連通し第２接続口が閉鎖された第１第３連通状態と、前記第２接続口と第３接続口がいずれも閉鎖された全閉状態とに切替可能であって、前記第１接続口には前記ふろポンプの吸い込み口に至る側の前記ふろ戻り管が接続され、前記第２接続口には前記ドレン排出管の他端が接続され、前記第３接続口には浴槽に設けられた浴槽水取込口に至る側の前記ふろ戻り管が接続され、前記第４接続口には前記注湯管が接続されており、
前記第２切替弁は、第１接続口と第２接続口が連通し第３接続口が閉鎖されたた第１第２連通状態と、第１接続口と第３接続口が連通し第２接続口が閉鎖された第１第３連通状態と、前記第２接続口と第３接続口がいずれも閉鎖された全閉状態とに切替可能であって、前記第１接続口にはふろ熱交換器の出側に通じる管路が接続され、前記第２接続口は浴槽に設けられた浴槽水吐出口に繋げられ、前記第３接続口は所定の排水先に通じており、
前記補給管は、前記逆止弁より前記第１切替弁の前記第２接続口側の前記ドレン排出管から分岐して前記シスターンタンクに繋げられており、
前記シスターンタンクに水を補給するときは、前記第１切替弁を第１第２連通状態にし、かつ前記第２切替弁を全閉状態にして前記注湯管から前記第４接続口に向けて水を流す
ことを特徴とする風呂給湯器。
【００１１】
上記発明では、第１切替弁を第１第２連通状態とし、第２切替弁を全閉状態として注湯管に給水を流すと、注湯管からの水が第１切替弁の第４接続口に流入し、第１切替弁の第２接続口、排水管の一部、補給路を経てシスターンタンクに補給される。
【００１２】
［２］前記シスターンタンクに水を補給した後、前記注湯管を閉鎖し、前記第１切替弁を第１第２連通状態、前記第２切替弁を第１第３連通状態にして前記ふろポンプを作動させることで、前記補給管の中の水を前記排水先に排水する
ことを特徴とする［１］に記載の風呂給湯器。
【００１３】
上記発明では、シスターンタンクに水を補給した後、補給路の中に残っている水をふろポンプで吸い出して排水先に排水して水抜きする。
【００１４】
［３］前記排水する際に、前記ドレンタンクの水位に応じて、前記ふろポンプを前記逆止弁が開かない速度で作動させるか前記逆止弁が開く速度で作動させるかを切り替える
ことを特徴とする［２］に記載の風呂給湯器。
【００１５】
上記発明では、排水する際に、ドレンタンクに溜まっているドレンの水位が閾値以上ならば、逆止弁が開く速度でふろポンプを動かすことでドレンタンクからの排水を同時に行い、溜まっているドレンが少なければ逆止弁が開かない低速度でふろポンプを動かして補給管内の水抜きだけを行う。
【００１６】
［４］前記逆止弁が開かない速度で前記ふろポンプを作動させる場合は、前記排水の完了を、排水開始からの時間を基準に、もしくは、ふろポンプの消費電力の変化に基づいて、判断する
ことを特徴とする［３］に記載の風呂給湯器。
【００１７】
上記発明では、流水スイッチが使えないので、タイマーもしくはポンプの消費電力の変化で排水の完了を判断する。
【００１８】
［５］前記排水が完了した後、前記第１切替弁を全閉状態、前記第２切替弁を第１第３連通状態にして前記注湯管から前記第４接続口に向けて水を流すことで前記追い焚き回路を洗浄する
ことを特徴とする［２］乃至［４］のいずれか１つに記載の風呂給湯器。
【００１９】
上記発明では、第１切替弁を全閉状態にして注湯管から第４接続口に水を流入させるとその水は第１接続口側へ流れてふろの追い焚き経路を流れ、第２切替弁を第１第３連通状態とすることで排水先へ排水される。これにより、水抜きに使用した部分のふろの追い焚き回路が洗浄される。
【００２０】
［６］前記第１切替弁および前記第２切替弁は、
基端側がモータに接続されて回動可能な軸と、
前記軸の先端部に設けられた第１ストッパと、
前記第１ストッパから前記基端側へ所定距離を開けて前記軸に設けられた第２ストッパと、
前記第１ストッパと第２ストッパとの間の前記軸に挿通された第１弁体と、
前記第１弁体と前記第２ストッパの間の前記軸に挿通された第２弁体と、
前記第１弁体と第２弁体の間に設けられて前記第１弁体が前記第１ストッパに当接し前記第２弁体が前記第２ストッパに当接するように前記第１弁体と前記第２弁体を互いが離れるように付勢するバネと、
前記第２ストッパより前記基端側で前記軸を回動方向に応じて軸方向に進退するように保持する軸支部と、
前記第１弁体と前記第２弁体を内側に収納し、前記先端部側へ進出する第１弁体によって内側から閉鎖される第１開口と前記基端側へ後退する前記第２弁体によって内側から閉鎖される第２開口を、前記第１ストッパと前記第２ストッパとの間隔より狭い間隔で対向させて備える弁室と、
前記弁室に設けられた第３開口と、
前記第１開口から前記弁室の外側へ延設されて前記第１開口から進出する前記軸および前記第１ストッパを内包すると共に前記第３接続口に至る第３管路と、
前記第２開口から前記弁室の外側へ前記軸に沿って延設された管路であって前記軸支部を内側に保持し、前記軸支部より前記基端側へ延びる前記軸を貫通させて端部が封止され、側面に開設された開口が前記第２接続口に通じた本体管と、
前記第３開口から前記弁室の外側へ延設されて前記第１接続口に至る第１管路と、
を有し、
前記軸が所定の中間位置にあるとき前記第１弁体が前記第１開口を閉鎖しかつ前記第２弁体が前記第２開口を閉鎖して前記全閉状態となり、
前記軸が前記中間位置より前記先端部側へ進出したとき前記第２ストッパに押された前記第２弁体が前記第２開口から離れかつ前記第１弁体が前記第１開口を閉鎖して前記第１第２連通状態となり、
前記軸が前記中間位置より前記基端側へ後退したとき前記第１ストッパに押された前記第１弁体が前記第１開口から離れかつ前記第２弁体が前記第２開口を閉鎖して前記第１第３連通状態となる
ことを特徴とする［１］乃至［５］のいずれか１つに記載の風呂給湯器。
【発明の効果】
【００２１】
本発明に係る風呂給湯器によれば、シスターンタンクへの水を補給したりドレンを浴室の排水口に排出したりするための機構を簡素化することができる。
【図面の簡単な説明】
【００２２】
【図１】本発明の実施の形態に係る風呂給湯器の構成例を示す図である。
【図２】第１切替弁の概略構成を示す断面図である。
【図３】シスターンタンクに水を補給する際の動作を示す流れ図である。
【図４】従来の風呂給湯器の構成例を示す図である。
【発明を実施するための形態】
【００２３】
以下、図面に基づき本発明の実施の形態を説明する。
【００２４】
図１は、本発明の実施の形態に係る風呂給湯器の構成を示している。風呂給湯器１０は、給水を加熱して浴室内のシャワーや台所の水栓等へお湯を供給（出湯）する給湯機能、浴槽２へ湯を落とし込んで湯張りする注湯機能、浴槽２内の浴槽水を追い焚きして昇温する追い焚き機能、床暖房用の温水マットなどの低温放熱端末５や浴室乾燥機などの高温放熱端末７に湯水を循環させて暖房する暖房機能、などを備えている。また、浴槽２に設定温度の湯を設定水位になるように自動的に湯張りし、湯張り完了後は設定水位・設定温度が所定時間（たとえば、４時間）に渡って維持されるように追い焚き等を行う風呂の自動運転機能を備えている。
【００２５】
風呂給湯器１０は、燃焼ファン１１が送風する空気が下方から送り込まれ、上部に排気口１２が設けられた燃焼室１３を備えている。燃焼室１３内には、給湯用の第１バーナ１４と、追い焚き、暖房用の第２バーナ１５が設けてある。第１バーナ１４の上方には給湯用顕熱熱交換器１６が配置され、その下流に排気の潜熱を回収する給湯用潜熱熱交換器１７が配置されている。第２バーナ１５の上方には暖房用顕熱熱交換器１８が配置され、その下流に排気の潜熱を回収する暖房用潜熱熱交換器１９が配置されている。
【００２６】
給水元からの水が供給される給水管２１は、器内を延設されて給湯用潜熱熱交換器１７の入口に接続されている。給湯用潜熱熱交換器１７の出口は給湯用顕熱熱交換器１６の入口に接続され、給湯用顕熱熱交換器１６の出口にはシャワーヘッドや出湯栓に通じる給湯管２２が接続されている。給水管２１の途中の所定箇所と給湯管２２の途中の所定箇所とは給水バイパス管２３で接続されている。
【００２７】
給水バイパス管２３が分岐する箇所の給水管２１には、給水バイパス管２３に流す給水量を制御するバイパスサーボ２４が設けてある。また、バイパスサーボ２４の上流には給水管２１を流れる給水の量を調整（制限）するための水量サーボ２５、さらにその上流には給水管２１に流れる水量を検出する水量センサ２６が設けてある。給湯用顕熱熱交換器１６の出口近傍の給湯管２２には給湯用顕熱熱交換器１６から出る湯の温度を検出する給湯出口温度センサ２７が、また、給水バイパス管２３の合流箇所の下流の給湯管２２には給湯管２２から出湯される湯の温度を検出する出湯温度センサ２８が設けてある。
【００２８】
暖房系は、高温放熱端末７や低温放熱端末５に循環させる流体（循環水とする）を所定量溜める大気開放の容器であるシスターンタンク３１を備えている。シスターンタンク３１の出口は管路３２で暖房用循環ポンプ３３の入口に接続され、暖房用循環ポンプ３３の出口側の管路は、暖房用顕熱熱交換器１８の入口に通じる管路３４と、熱動弁ヘッダ３５の入口に通じる管路３６に分岐している。
【００２９】
熱動弁ヘッダ３５は入口から流入する流体を個別の熱動弁を介して複数の出口に分岐する機能を果たす。熱動弁は内部のヒータが通電されて温度が所定温度に上昇すると弁が開くものであり、ヒータへの通電のオン・オフと弁の開閉にはタイムラグが生じる。特に、熱動弁が冷えているときにはヒータに通電してから弁が開くまでに長い時間（１分ほど）を要する。
【００３０】
熱動弁ヘッダ３５を介することで低温回路を複数系統にすることができる。図では、熱動弁ヘッダ３５の一の出口に、低温放熱端末５の入口に通じる低温往き管３７が接続され、低温放熱端末５の出口は低温戻り管３８で集合ヘッダ３９の一の入口に接続されている。集合ヘッダ３９の出口は管路４１を通じて暖房用潜熱熱交換器１９の入口に接続され、暖房用潜熱熱交換器１９の出口は管路４２でシスターンタンク３１に接続されている。
【００３１】
暖房用顕熱熱交換器１８の出口には、高温放熱端末７の入口に通じる高温往き管４３が接続されており、高温放熱端末７の出口に接続された高温戻り管４４は集合ヘッダ３９の他の一の入口に通じている。集合ヘッダ３９は、低温戻り管３８から温水と高温戻り管４４からの温水を混合して出口に出す機能を果たす。
【００３２】
高温往き管４３の途中で分岐したバイパス路４０は、流量制御型切替弁３０を介してシスターンタンク３１に接続されている。詳細には、高温往き管４３から分岐したバイパス路４０は、流量制御型切替弁３０の第１接続口に接続され、流量制御型切替弁３０の第２接続口からシスターンタンク３１に接続されている。流量制御型切替弁３０の第３接続口は管路４５を通じて水−水熱交換器であるふろ熱交換器４６の一次側の入口に接続されている。ふろ熱交換器４６の一次側の出口には管路４７が接続され、該管路４７の他端は管路４１の途中に合流するように接続されている。
【００３３】
流量制御型切替弁３０は、第１接続口と第２接続口が連通して第３接続口が第１接続口および第２接続口と切り離された第１第２連通状態と、第１接続口と第３接続口が連通して第２接続口が第１接続口および第３接続口と切り離された第１第３連通状態と、第１接続口と第２接続口と第３接続口が互いに切り離されて閉鎖された全閉状態とに切り替え可能であって、各連通状態では弁の開度(流量)を多段階（連続的）に調整可能に構成されている。
【００３４】
風呂の追い焚き回路は、ふろ熱交換器４６の二次側の管路と、ふろ熱交換器４６の二次側の管路の入口から浴槽２の循環アダプタの浴槽水取込口３に至るふろ戻り管４８と、ふろ熱交換器４６の二次側の管路の出口から浴槽２の循環アダプタの浴槽水送出口４に至るふろ往き管５２とから構成される。
【００３５】
ふろ戻り管４８の途中には、浴槽水取込口３側から順に、第１切替弁８０と、ふろ循環ポンプ４９と、浴槽水の流れを検出する水流スイッチ５０が介挿されている。第１切替弁８０より浴槽水取込口３側のふろ戻り管４８は第１切替弁８０の第３接続口に接続され、ふろ循環ポンプ４９の吸い込み口に至る側のふろ戻り管４８は第１切替弁８０の第１接続口に接続されている。第１切替弁８０はさらに第２接続口と第４接続口を有し、第４接続口には後述する注湯連結管５５が接続され、第２接続口には後述するドレンのドレン排水管６８が接続されている。
【００３６】
第１切替弁８０は、第１接続口と第４接続口は常に連通し、第２接続口と第３接続口との間の連通は常に遮断されている。第１切替弁８０は、第１接続口および第４接続口が第２接続口と連通しかつ第１接続口および第４接続口と第３接続口との連通が遮断された第１第２連通状態（第２接続口と第３接続口との連通も遮断）と、第１接続口および第４接続口と第３接続口が連通しかつ第１接続口および第４接続口と第２接続口との連通が遮断された第１第３連通状態（第２接続口と第３接続口との連通も遮断）と、第１接続口および第４接続口と第２接続口との連通が遮断されかつ第１接続口および第４接続口と第３接続口との連通が遮断された全閉状態（第２接続口と第３接続口との連通も遮断）とに切り替え可能であって、各連通状態では弁の開度(流量)を多段階（連続的）に調整可能に構成されている。
【００３７】
ふろ往き管５２の途中には第２切替弁５３が接続されている。第２切替弁５３の第１接続口にはふろ熱交換器４６の二次側の出口に至るふろ往き管５２が接続され、第２接続口には浴槽水送出口４に至るふろ往き管５２が接続され、第３接続口には所定の排出先に至る排水管５４が接続されている。
【００３８】
第２切替弁５３は、第１接続口と第２接続口が連通し第３接続口が閉鎖された第１第２連通状態と、第１接続口と第３接続口が連通し第２接続口が閉鎖された第１第３連通状態と、第２接続口と第３接続口が共に閉鎖された全閉状態とに切り替えることができる。
【００３９】
注湯連結管５５は、出湯温度センサ２８の下流で給湯管２２から分岐して前述の第１切替弁８０の第４接続口に接続されている。注湯連結管５５の途中には、逆止弁５６や注湯連結管５５を開閉する注湯電磁弁５７などが設けてある。
【００４０】
暖房用循環ポンプ３３の出口側で管路３４と管路３６に分岐する箇所にはその箇所を流れる温水（シスターンタンク３１から暖房用循環ポンプ３３によって吸い出されて低温放熱端末５や暖房用顕熱熱交換器１８の入口に向かう温水）の温度を検出する暖房低温温度センサ６１が設けてある。暖房用顕熱熱交換器１８の出口近傍の高温往き管４３には暖房用顕熱熱交換器１８から出た温水の温度を検出する暖房高温温度センサ６２が設けてある。
【００４１】
ふろ戻り管４８の途中（ふろ循環ポンプ４９の吸い込み口近く）には浴槽２から戻って来る浴槽水の温度を検出するふろ戻り温度センサ６３が、ふろ往き管５２の途中にはふろ往き管５２を通じて浴槽２に向かう湯水の温度を検出するふろ往き温度センサ６４が設けてある。
【００４２】
給湯用潜熱熱交換器１７および暖房用潜熱熱交換器１９の下方には、バーナからの排気が給湯用潜熱熱交換器１７や暖房用潜熱熱交換器１９を通る際に該排気の水分が凝縮して生じる凝縮水（ドレン）を受け止めて回収するためのドレン回収皿６５が設けてあり、回収したドレンは中和器６６で中和されてドレンタンク６７に一時的に溜められる。ドレンタンク６７から延びるドレン排水管６８は、逆止弁６９を介して第１切替弁８０の第２接続口に接続されている。
【００４３】
第１切替弁８０の第２接続口と逆止弁６９との間でドレン排水管６８から分岐した補給路５８がシスターンタンク３１の上部に接続されている。シスターンタンク３１には図示省略した水位センサが設けてある。
【００４４】
なお、通常（追い焚き時や注湯時）は、第１切替弁８０は第１第３連通状態に設定され、第２切替弁５３は第１接続口が浴槽水送出口４に通じる第１第２連通状態に設定される。
【００４５】
燃焼ガスの供給経路は次の様になっている。燃焼ガスの供給元に通じるガス供給管７０の途中には、供給元からの燃焼ガスを遮断するか否かを切り替える元ガス電磁弁７１が設けられ、その下流には、供給する燃焼ガスの量を任意に調整するためのガス比例弁７２が設けてある。ガス供給管７０は、ガス比例弁７２の下流で分岐し、それぞれガス電磁弁を介して第１バーナ１４、第２バーナ１５に接続されている。
【００４６】
このほか、風呂給湯器１０は、当該風呂給湯器１０の動作を制御する制御部７３を備える。制御部７３はＣＰＵ（Central Processing Unit）、ＲＯＭ（Read Only Memory）、ＲＡＭ（Random Access Memory）などを主要部とする回路で構成され、ＲＯＭに格納されたプログラムに従ってＣＰＵが各種の処理を実行することで風呂給湯器１０としての動作が実現される。
【００４７】
制御部７３には、使用者から各種の設定や運転の指示を受ける機能、設定内容や運転状況を表示する機能等を備えたリモートコントローラ７４(リモコンと略称する)が通信線を介して接続される。
【００４８】
図２は、第１切替弁８０の概略構成を示している。同図（ａ）は第１第２連通状態を、同図（ｂ）は全閉状態を、同図（ｃ）は第１第３連通状態をそれぞれ示している。
【００４９】
第１切替弁８０は、基端側がモータに接続されて回動可能な制御軸８４を備えている。制御軸８４には先端部に第１ストッパ８５が設けられ、該第１ストッパ８５から基端側へ所定距離開けて第２ストッパ８６が設けられている。
【００５０】
第１ストッパ８５と第２ストッパ８６の間の制御軸８４には、第１接続口と第３接続口との連通・遮断を切り替えるための円錐台形状の第１弁体８１と、第１接続口と第２接続口との連通・遮断を切り替えるための円錐台形状の第２弁体８２が、底面を対向させ、かつ互いの間に互いを離れる方向に付勢するバネ８３を挟んで挿通されている。第１弁体８１と第２弁体８２は、自由状態では、互いの間がバネ８３によって広げられて、第１弁体８１が第１ストッパ８５に当接し、第２弁体８２が第２ストッパ８６に当接する。
【００５１】
第１切替弁８０は、第１弁体８１と第２弁体８２を内側に収納し、制御軸８４の先端部側へ進出する第１弁体８１によって内側から閉鎖される第１開口８７と、基端側へ後退する第２弁体８２によって内側から閉鎖される第２開口８８を、第１ストッパ８５と第２ストッパ８６との間隔より狭い間隔で対向させて備えた弁室９０を有する。弁室９０にはさらに第１開口８７と第２開口弁８８の間であって第１開口８７（あるいは第２開口８８）と直交する向きに開口した第３開口８９が設けてある。
【００５２】
第１切替弁８０はさらに、第１開口８７から弁室９０の外側へ延設されて第１開口８７から進出する制御軸８４や第１ストッパ８５を内包すると共にて第３接続口に至る第３管路９１と、第２開口８８から弁室９０の外側へ制御軸８４に沿って（制御軸８４を内側にして）真っ直ぐに延設された本体管９２と、第３開口８９から弁室９０の外側へ真っ直ぐに延設されて第１接続口に至る第１管路９３を有する。
【００５３】
第１管路９３の途中（第３開口８９から近い箇所）には該第１管路９３の側方または斜め側方に向けて第４接続口が開口されている。第１管路９３の内面のうち少なくとも第４接続口の正面になる部分は樹脂で形成されている。後述する乱流の当たる箇所すべてを樹脂で形成することが好ましい。本例では第１管路９３の内面すべてが樹脂で形成されている。
【００５４】
本体管９２の入口端（弁室９０と反対側の端部）は制御軸８４を貫通させて封止部材９５で封止される。また、本体管９２の中には制御軸８４を回動方向に応じて軸方向に進退可能に保持する軸受け部９７が固定される。本体管９２の側面には第２接続口に通じた開口が開設されている。
【００５５】
ここでは、円筒部材の入口端から所定範囲が本体管９２となっており、弁室９０は本体管９２よりさらに先の部分の円筒部材で構成される。弁室９０になる部分では本体管９２の部分より内径が僅かに小さくされており本体管９２と弁室９０の境界には段差が設けられている。なお、本体管９２と弁室９０の境界には段差に代えて内側に突起を設けてもよい。該円筒部材は弁室９０が終わる所でさらに小径に変化して第１開口８７を形成した後、少し直進してから９０度湾曲して終端が第３接続口になっている。
【００５６】
第１ストッパ８５と第２ストッパ８６の間にバネ８３を挟んだ第１弁体８１と第２弁体８２が取り付けられた状態の制御軸８４が、第１ストッパ８５側から該円筒部材（本体管９２）の中へ入口端から挿入された後、該本体管９２の内径を外径とする環状の弁体当接部材９４が本体管９２の中へ挿入される。円筒部材は本体管９２と弁室９０との境界で内径が僅かに小さくなって段差（突起）を有するので、弁体当接部材９４はこの段差（突起）に突き当たってそれ以上奥には行かない。弁体当接部材９４は弁室９０の一方の壁（第２開口８８のある側の壁）を構成し、環状の弁体当接部材９４の内側空間は第２開口８８になっている。
【００５７】
本体管９２には、弁体当接部材９４を挿入した後、さらに入口端から封止部材９５が挿入されて固定される。本体管９２の入口端はこの封止部材９５によって封鎖される。封止部材９５は、爪部９６と軸受け部９７と蓋部９８から構成される。爪部９６は所定間隔をあけて環状に配列された爪で構成され、第２開口８８の周囲の弁体当接部材９４に本体管９２の入口端側から当接して弁体当接部材９４を前述の段差（突起）に押し付ける。これにより、本体管９２の入口端方向への弁体当接部材９４の移動が阻止される。すなわち、弁体当接部材９４は前述の段差と爪部９６の爪に挟まれて位置決め固定される。
【００５８】
軸受け部９７は、制御軸８４をその回動方向に応じて軸方向に進退可能に支持する。蓋部９８は本体管９２の入口端を封鎖する蓋としての機能を果たす。制御軸８４の基端は蓋部９８を貫通して外部に出て図示省略のモータに接続される。
【００５９】
爪部９６と蓋部９８との間（軸受け部９７の箇所）に対応する箇所の本体管９２の側壁には開口が設けてあり、この開口は第２接続口に通じている。弁室９０は、環状の弁体当接部材９４の内側空間（第２開口８８）と爪部９６の爪と爪の間を介して第２接続口に通じことになる。
【００６０】
制御軸８４を所定方向に回動させて、図２（ａ）に示すように制御軸８４を第３管路９１の中へ進出させると、第１弁体８１は第１開口８７を封鎖して弁室９０と第３接続口との連通を遮断する。このとき第１ストッパ８５は第１弁体８１から離れて第１弁体８１のさらに奥まで進出している。第２弁体８２は、第２ストッパ８６に押されてバネ８３を押し縮めながら弁室９０の奥へと進んで弁体当接部材９４から離れ、弁体当接部材９４の第２開口８８と第２弁体８２との間に隙間が生じる。この隙間を通じて弁室９０と本体管９２との連通が確保されて第１接続口と第２接続口が連通する。
【００６１】
弁室９０は第３開口８９を介して第１管路９３と常に連通しているので、図２（ａ）に示す第１第２連通状態では、第１接続口および第４接続口と第２接続口が連通し、第１接続口および第４接続口と第３接続口との連通が遮断された第１第２連通状態（第２接続口と第３接続口との連通も遮断されている）になる。
【００６２】
図２（ａ）の状態から少しずつ制御軸８４を回動させて本体管９２の入口端側へ後退させると、制御軸８４の第２ストッパ８６と第１ストッパ８５が本体管９２の入口端側へ少しずつ移動する。第１ストッパ８５が第１弁体８１に当たるまでは第１弁体８１は第１開口８７を閉鎖した状態を維持し、第２弁体８２はバネ８３に押されて第２ストッパ８６と共に本体管９２の入口端側へ移動する。このため、第１弁体８１が第１開口８７を閉鎖したまま、第２弁体８２と弁体当接部材９４の第２開口８８との隙間が少しずつ狭くなる。すなわち、第１第２連通状態での弁の開度を調整することができる。
【００６３】
図２（ｂ）の状態まで制御軸８４を本体管９２の入口端側に後退させると、第１弁体８１が第１開口８７を閉鎖した状態のままで、第２弁体８２が弁体当接部材９４の第２開口８８に当接して第２開口８８を閉鎖し、第１接続口、第２接続口、第３接続口が互いに連通しない全閉状態になる。
【００６４】
図２（ｂ）の状態からさらに制御軸８４を本体管９２の入口端側に後退させると、第２弁体８２は弁体当接部材９４の第２開口８８を閉鎖したままで、第１ストッパ８５に押された第１弁体８１が本体管９２の入口端側に移動し、第１弁体８１が第１開口８７から離れる。これにより、第１接続口および第４接続口と第３接続口が連通しかつ第２接続口が閉鎖された第１第３連通状態になる。この場合も制御軸８４を本体管９２の入口端側にどの程度後退させるかにより、第１第３連通状態での弁の開度を調整することができる。
【００６５】
第２切替弁５３は、第４接続口が無い点を除いて第１切替弁８０と同一構成である。なお、第１切替弁８０、第２切替弁５３は、図２に示す構造に限定されるものではない。
【００６６】
次に、風呂給湯器１０が行う給湯動作、注湯動作、暖房動作、追い焚き動作、シスターンタンク３１への水の補給動作について説明する。
【００６７】
＜給湯動作＞
出湯栓が開かれて水量センサ２６が通水を検出すると制御部７３は、燃焼ファン１１をオンし第１バーナ１４を点火して燃焼ガスを燃焼させる。給水元から流入する給水は、給湯用潜熱熱交換器１７および給湯用顕熱熱交換器１６を通る際に加熱昇温され、バイパスサーボ２４で調整された比率で給水バイパス管２３に分岐流入した給水と混合され、給湯設定温度の湯にされて出湯栓から出湯する。
【００６８】
＜注湯動作＞
注湯動作は、リモートコントローラ７４から、風呂の自動運転や注湯の指示を受けた場合に実行される。注湯動作では、制御部７３は、注湯電磁弁５７を開き、第１切替弁８０を第１第３連通状態に設定し、第２切替弁５３を風呂側（第１第２連通状態）に設定すると共に燃焼ファン１１を作動させ、第１バーナ１４を点火して燃焼ガスを燃焼させる。これにより、給湯動作と同様にして生成された湯が注湯連結管５５から第１切替弁８０の第４接続口を経てふろ戻り管４８に流れ込み、ふろ戻り管４８およびふろ往き管５２を通じて浴槽２に落とし込まれる。
【００６９】
＜暖房動作＞
低温放熱端末５や高温放熱端末７による暖房動作では、第２バーナ１５を燃焼させかつ暖房用循環ポンプ３３を作動させる。
【００７０】
（高温放熱端末７の単独運転）
高温放熱端末７の単独運転では、高温放熱端末７の熱動弁が開くまでは流量制御型切替弁３０を第１第２連通状態に設定し、熱動弁が開いた後は流量制御型切替弁３０を全閉状態に設定して暖房動作を行う。これにより、シスターンタンク３１から出て管路３２、暖房用循環ポンプ３３、管路３４、暖房用顕熱熱交換器１８、高温往き管４３、高温放熱端末７、高温戻り管４４、集合ヘッダ３９、管路４１、暖房用潜熱熱交換器１９、管路４２を経由してシスターンタンク３１に戻る高温回路に、第２バーナ１５で昇温された温水が循環する。
【００７１】
高温放熱運転の単独動作では、暖房高温温度センサ６２の検出する湯温が目標温度（たとえば、８０℃）になるように第２バーナ１５の燃焼量を制御する。
【００７２】
（高温放熱端末と低温放熱端末の同時運転）
高温放熱端末７を含む高温回路に温水を循環させる高温放熱運転と低温放熱端末５を含む低温回路に温水を循環させる低温放熱運転を同時実行する場合、熱動弁ヘッダ３５の該当する熱動弁（低温放熱端末５に通じる熱動弁）と高温放熱端末７の熱動弁に通電し、制御部７３は、流量制御型切替弁３０を第１第２連通状態に設定した後（もしくは設定と同時に）、暖房用循環ポンプ３３を駆動して第２バーナ１５を燃焼させる
熱動弁が開いた後は暖房高温温度センサ６２の検出する湯温が目標温度（たとえば、８０℃）になるように第２バーナ１５の燃焼量を制御し、暖房低温温度センサ６１の検出する湯温に応じて流量制御型切替弁３０の開度を調整する。
【００７３】
（低温放熱端末の単独運転）
低温放熱端末５の単独運転では、制御部７３は、熱動弁ヘッダ３５の該当する熱動弁（低温放熱端末５に通じる熱動弁）を開き、流量制御型切替弁３０は第１第２連通状態に設定した後（もしくは設定と同時に）暖房用循環ポンプ３３を駆動して、第２バーナ１５を燃焼させる。流量制御型切替弁３０の開度は低温放熱端末５からの戻り温度に基づいて調整する。燃焼量の制御は、低温放熱端末５への往き温度を基準に行う。すなわち、暖房低温温度センサ６１の検出する温水温度が目標温度（たとえば、６０℃）になるように第２バーナ１５の燃焼量等をフィードバック制御する。
【００７４】
当初は、低温放熱端末５やその周囲が冷えた状態なので、低温放熱端末５からの戻り温度は低くなるので、流量制御型切替弁３０を第１第２連通状態で全開にして、シスターンタンク３１（低温回路を循環する温水）への熱の補給量を増やす。低温放熱端末５からの戻り温度が高くなってくると、流量制御型切替弁３０の開度を次第に絞る。
【００７５】
制御部７３は、上記制御での燃焼量の低下や室内温度センサの検出温度から、低温放熱端末５が暖房対象とする部屋等が十分暖まってきたことを認識すると、暖房用循環ポンプ３３の流量を下げて供給熱量を少なくする。このとき、上記フィードバック制御でハンチングが生じないように、暖房用循環ポンプ３３の流量を下げるほど第１第２連通状態での流量制御型切替弁３０の開度を大きくして、暖房用循環ポンプ３３から送り出された湯のうち暖房用顕熱熱交換器１８および流量制御型切替弁３０を通じてシスターンタンク３１へ戻る湯の流量比が多くなるようにする。
【００７６】
これにより、暖房用循環ポンプ３３の流量を下げても、前述のフィードバック制御における伝達遅延（時定数）の増大が無く（もしくは少なく）なり、ハンチングの発生が防止される。そして、流量を下げることで低温放熱端末５へ供給する熱量が下がれば、低温放熱端末５からの戻り温度が低くなり、暖房用潜熱熱交換器１９での熱回収効率が改善される。
【００７７】
＜風呂の追い焚き動作＞
風呂の追い焚きは、風呂の自動運転の指示に基づいて前述の注湯動作が行われて設定水位に湯張りされた後、浴槽２内の浴槽水の温度を風呂設定温度まで昇温させるとき、あるいは、風呂の自動運転中に浴槽２内の湯水を風呂設定温度に維持するために昇温するとき、あるいは、使用者から追い焚きの指示を受けた場合に実行される。
【００７８】
風呂の追い焚き動作では、制御部７３は、流量制御型切替弁３０を第１第３連通状態で全開とし、暖房用循環ポンプ３３を駆動し、第２バーナ１５を燃焼させる。また、ふろ熱交換器４６の二次側の出側及び入側がそれぞれ浴槽２の浴槽水取込口３、浴槽水送出口４に通じるように流量制御型切替弁８０を第１第３連通状態とし、かつ第２切替弁５３を第１第２連通状態に設定してふろ循環ポンプ４９をオンにする。
【００７９】
これにより、浴槽２の浴槽水は、浴槽水取込口３から取り込まれ、ふろ戻り管４８、ふろ熱交換器４６の二次側、ふろ往き管５２を通じて浴槽水送出口４から浴槽２に戻る追い焚き二次回路を循環する。また、ふろ熱交換器４６の一次側では、循環水が、シスターンタンク３１から管路３２、暖房用循環ポンプ３３、管路３４、暖房用顕熱熱交換器１８、高温往き管４３、第１第３連通状態の流量制御型切替弁３０、管路４５、ふろ熱交換器４６の一次側、管路４７、管路４１、暖房用潜熱熱交換器１９を通ってシスターンタンク３１に戻る追い焚き一次回路を循環する。ふろ熱交換器４６の一次側を循環する循環水（温水）の熱がふろ熱交換器４６の二次側を循環する浴槽水に伝達して浴槽水が昇温する。追い焚き動作では、暖房高温温度センサ６２の検出する湯温が目標温度（たとえば、８０℃）になるように第２バーナ１５の燃焼量等を制御する。
【００８０】
＜シスターンタンクへの水の補給動作＞
図３は、シスターンタンク３１への水の補給動作を示す流れ図である。制御部７３は、シスターンタンク３１の水位が一定以上低下したことを検出すると（ステップＳ１０１；Ｙｅｓ）、第１切替弁８０を第１第２連通状態に、第２切替弁５３を全閉状態に切り替える（ステップＳ１０２）。そして、水量サーボ２５を絞って通水量を制限した後、注湯電磁弁５７を開く（ステップＳ１０３）。水量サーボ２５を絞るのは補給路５８が非常に細い管路（内径３ミリほど）のためである。
【００８１】
上記の制御により、給水元から供給される給水が注湯連結管５５を通じて第１切替弁８０の第４接続口に流入し、第１切替弁８０の第２接続口、ドレン排水管６８の一部、補給路５８を経てシスターンタンク３１に補給される。すなわち、第２切替弁５３が全閉状態で第１切替弁８０が第１第２連通状態であるため第１切替弁８０の第４接続口に流入した水は第１接続口側には流れずに第２接続口からドレン排水管６８へと流れるが逆止弁６９があるのでドレンタンク６７には行かずに補給路５８を流れてシスターンタンク３１に流入する。
【００８２】
その後、規定の水位までシスターンタンク３１に水が補給されると（ステップＳ１０４；Ｙｅｓ）、制御部７３は注湯電磁弁５７を閉じて補給動作を停止し、水量サーボ２５を通常の位置に戻す（ステップＳ１０５）。
【００８３】
次に、補給路５８に残っている水の排水動作（水抜き）を行う。詳細には、第２切替弁５３を第１第３連通状態（ふろ往き管５２が浴室の排水口側に通じる）に設定する（ステップＳ１０６）。そして、ドレンタンク６７に溜まっているドレンの水位が所定の閾値以上の高水位か否かを判断する（ステップＳ１０７）。
【００８４】
ドレンタンク６７の水位が高水位ならば（ステップＳ１０７；Ｙｅｓ）、ふろ循環ポンプ４９を通常の速度（逆止弁６９が開く速度）で稼動させる（ステップＳ１０８）。これにより、補給路５８の中に残っている水およびドレンタンク６７内のドレンがふろ循環ポンプ４９によって吸い出されて排水管５４から排水される。この場合は、水流スイッチ５０を作動させるに十分な流量があるので、水流スイッチ５０のオフにより、排水の完了を確認して（ステップＳ１０９）、ステップＳ１１２に移行する。
【００８５】
ドレンタンク６７の水位が高水位でなければ（ステップＳ１０７；Ｎｏ）、ふろ循環ポンプ４９を、逆止弁６９が開かない程度の低速で稼動させる。この場合は逆止弁６９が開かないのでドレンタンク６７からドレンの排出は行われず、補給路５８内の水の排水（水抜き）だけが行われる。補給路５８内に残っている水の量は非常に少ないので水流スイッチ５０のオン・オフによって排水の完了を判断できない。そこで、ふろ循環ポンプ４９を稼動させてから一定時間の経過により排水が完了したと判断する、もしくは、排水が完了するとふろ循環ポンプ４９の負荷（消費電力）が変化するのでふろ循環ポンプ４９の消費電力の変化に基づいて排水の完了を判断する。排水の完了を確認したらステップＳ１１２へ移行する。
【００８６】
ステップＳ１１２では、第１切替弁８０を全閉状態にする。そして、注湯電磁弁５７を開き、所定時間の経過後に注湯電磁弁５７を閉じる（ステップＳ１１３）。これにより、注湯連結管５５から第１切替弁８０の第４接続口に流入した水が、第１切替弁８０の第１接続口、ふろ循環ポンプ４９、ふろ熱交換器４６の二次側管路、ふろ往き管５２、第２切替弁５３の第１接続口から第３接続口、排水管５４を経て排出され、補給路５８内の残水やドレンの排出に使用された部分のふろの追い焚き経路が洗浄される。
【００８７】
配管の洗浄動作が完了すると、第１切替弁８０を第１第３連通状態、第２切替弁５３を第１第２連通状態に切り替えて（ステップＳ１１４）、本処理を終了する。
【００８８】
本実施の形態に係る風呂給湯器１０では、第１切替弁８０、第２切替弁５３を設けたことにより、シスターンタンク３１の近くに補給水電磁弁を設けることなくシスターンタンク３１に水を補給することができる。また、補給後に補給路５８の水抜き動作を行うので、凍結防止用のヒータや断熱材も不要になる。さらに水抜き動作の際にドレンタンク６７に溜まっているドレンを排出することができる。
【００８９】
なお、ドレンタンク６７からのドレンの排出動作は、シスターンタンク３１への水の補給および水抜き動作の後でなくても任意のタイミングで行うことができる。すなわち、第１切替弁８０を第１第２連通状態、第２切替弁５３を第１第３連通状態にしてふろ循環ポンプ４９を作動させればドレンタンク６７のドレンを排出することができる。また、その後、第１切替弁８０を全閉状態にして注湯電磁弁５７を開けばドレンの排出に使用した部分のふろの追い焚き経路を洗浄することができる。
【００９０】
このように、本実施の形態に係る風呂給湯器１０では、第１切替弁８０、第２切替弁５３を用いることで、シスターンタンク３１への水の補給およびドレンタンク６７からドレンを排出するための機構を簡素化することができる。
【００９１】
以上、本発明の実施の形態を図面によって説明してきたが、具体的な構成は実施の形態に示したものに限られるものではなく、本発明の要旨を逸脱しない範囲における変更や追加があっても本発明に含まれる。
【符号の説明】
【００９２】
２…浴槽
３…浴槽水取込口
４…浴槽水送出口
５…低温放熱端末
７…高温放熱端末
１０…風呂給湯器
１１…燃焼ファン
１２…排気口
１３…燃焼室
１４…第１バーナ
１５…第２バーナ
１６…給湯用顕熱熱交換器
１７…給湯用潜熱熱交換器
１８…暖房用顕熱熱交換器
１９…暖房用潜熱熱交換器
２１…給水管
２２…給湯管
２３…給水バイパス管
２４…バイパスサーボ
２６…水量センサ
２７…給湯出口温度センサ
２８…出湯温度センサ
３０…流量制御型切替弁
３１…シスターンタンク
３２…管路（シスターンから暖房用循環ポンプまで）
３３…暖房用循環ポンプ
３４…管路（循環ポンプ下流の分岐箇所から暖房用顕熱熱交換器の入口まで）
３５…熱動弁ヘッダ
３６…管路（循環ポンプ下流の分岐箇所から熱動弁ヘッダまで）
３７…低温往き管
３８…低温戻り管
３９…集合ヘッダ
４０…バイパス路
４１…管路（集合ヘッダ出口から暖房用潜熱熱交換器１９の入口までの）
４２…管路（暖房用潜熱熱交換器の出口からシスターンまで）
４３…高温往き管
４４…高温戻り管
４５…管路（流量制御型切替弁の第３接続口からふろ熱交換器一次側の入口まで）
４６…ふろ熱交換器
４７…管路（ふろ熱交換器一次側出口から管路４１に合流するまで）
４８…ふろ戻り管
４９…ふろ循環ポンプ
５０…水流スイッチ
５２…ふろ往き管
５３…第２切替弁
５４…排水管
５５…注湯連結管
５６…逆止弁
５７…注湯電磁弁
５８…補給路
６１…暖房低温温度センサ
６２…暖房高温温度センサ
６３…ふろ戻り温度センサ
６４…ふろ往き温度センサ
６５…ドレン回収皿
６６…中和器
６７…ドレンタンク
６８…ドレン排水管
６９…逆止弁
７０…ガス供給管
７１…元ガス電磁弁
７２…ガス比例弁
７３…制御部
７４…リモートコントローラ
８０…第１切替弁
８１…第１弁体
８２…第２弁体
８３…バネ
８４…制御軸
８５…第１ストッパ
８６…第２ストッパ
８７…第１開口
８８…第２開口
８９…第３開口
９０…弁室
９１…第３管路
９２…本体管
９３…第１管路
９４…弁体当接部材
９５…封止部材
９６…爪部
９７…軸受け部
９８…蓋部
【図１】
2019060575.tif 000003
【図２】
2019060575.tif 000004
【図３】
2019060575.tif 000005
【図４】
2019060575.tif 000006